(57)【特許請求の範囲】
【請求項１】
上部に避雷針を具備した方向探知機用アンテナにおいて、
中心部に上下に貫通する避雷針挿通孔が形成されるコマ円筒部と、円筒部下部に形成されるコマフランジ部より成る絶縁コマを具備し、
コマ円筒部が挿通される中空部が形成される中筒円筒部と中筒円筒部の下側周縁に形成される中筒フランジ部より成るアンテナ中筒を具備し、
コマ円筒部を中空部に嵌合した絶縁コマとアンテナ中筒の共軸構造を構成し、
この共軸構造のアンテナ中筒側にアンテナ装置を取り付け、絶縁コマをそのフランジ部を介して支持柱に固定し、アンテナ中筒をそのフランジ部を介して支持柱に螺合して、絶縁コマを支持柱に残してアンテナ装置を着脱自在とし、
絶縁コマの避雷針挿通孔に避雷針を押し込み固定し、
避雷導体を絶縁コマ７とアンテナ中筒の共軸構造および支持柱内部を介して避雷針から導出したことを特徴とする方向探知機用アンテナ。
【請求項２】
請求項１に記載される方向探知機用アンテナにおいて、
前記アンテナ装置は、アンテナケースを具備し、
当該アンテナケースは、中心に開口部を有し、上記共軸構造を開口部に共軸にして、支持柱に取り付けたことを特徴とする方向探知機用アンテナ。
【請求項３】
請求項２に記載される方向探知機用アンテナにおいて、
アンテナケースは、その内部にアンテナ制御回路を具備することを特徴とする方向探知機用アンテナ。
【請求項４】
請求項２に記載される方向探知機用アンテナにおいて、
アンテナケースは、その周側部に等角度間隔に複数の水平アームを具備し、
当該各水平アーム先端にアンテナエレメントを具備することを特徴とする方向探知機用アンテナ。
【発明の詳細な説明】
【０００１】
【発明の属する技術分野】
この発明は、方向探知機用アンテナに関し、特に、アンテナ近傍に避雷針を具備する方向探知機用アンテナに関する。
【０００２】
【従来の技術】
従来例を図８を参照して説明する。
２０６は金属材料より成るダブルフランジである。ダブルフランジ２０６は円板状の上側フランジ２０６２と下側フランジ２０６１、両フランジを結合する円筒部２０６３より成る。このダブルフランジ２０６は下側フランジ２０６１を介して支持柱２０５に取り付けネジ２０７により取り付けられている。
【０００３】
７２は円板状のカバーフランジであり、繊維強化プラスチックにより構成される。このカバーフランジ７２にはフランジ中心開口７２０が形成されている。このカバーフランジ７２はフランジ固定ボルト７２１により上側フランジ２０６２に取り付けられている。
６１は金属材料より成る支持幹である。支持幹６１は、その基部を
支持幹固定ボルト６１１により上側フランジ２０６２に固定支持されている。支持幹６１には基部中心部に支持幹下部雌ネジ切り部６１２が形成されている。このネジ切り部６１２には、支持柱２０５内を貫通するリード棒２０８のリード棒雄ネジ切り部２０９が螺合され、これにより金属材料より成る支持幹６１は電気機械的に下方に導出される。このように構成されているため、ダブルフランジ２０６、支持幹６１及び支持柱２０５は、電気的には絶縁されていない。また、リード棒２０８の下端には避雷導線２１０が接続されている。支持幹６１の上端部中心には支持幹上部雌ネジ切り部６１３が形成されている。
【０００４】
７４は絶縁材料より成るベースである。ベース７４の中心開孔７４２には支持幹６１の上端部が嵌合した状態にある。支持幹６１に対してベース７４は、中心開孔７４２の周縁近傍をベース固定ボルト７４１により取り付け固定される。アンテナエレメント５０は、ベース７４の周縁部に周方向に等角度間隔に取り付けられる。
アンテナ５のカバー７３は、その開口周縁部をカバー固定ボルト７３１によりカバーフランジ７２の周縁部に液密に取り付けることにより、カバーフランジ７２に固定保持される。カバー７３にはカバー中心開孔７３２が形成されている。
【０００５】
避雷針６は、カバー中心開孔７３２を介して液密にカバー７３に挿入され、その下端部に形成される避雷針雄ネジ切り部６０を支持幹上部雌ネジ切り部６１３に螺合することにより支持幹６１に固定されている。この支持幹６１は、上述した通り、ダブルフランジ２０６、リード棒２０８、避雷導線２１０を介して電気機械的に外部に引き出される。これにより、避雷針６への落雷電流は、避雷導線２１０のみでなく、支持柱２０５をも流れることとなる。
【０００６】
避雷針６は、カバー７３内において繊維強化プラスチック７３４より成るパイプステーにより包囲されている。
アンテナ５のアンテナエレメント５０は、それぞれ、図示されないアンテナ整合回路に接続し、このアンテナ整合回路はそれぞれアンテナ５のカバー７３内の内部コネクタ５１、外部コネクタ５２を介してポール２内を延伸する信号ケーブル５３に接続される。この信号ケーブル５３の他端は図示しない制御回路収容ケースに収容されているアンテナ切換などを制御する制御回路に接続している。
【０００７】
【発明が解決しようとする課題】
上記のような構造となっているアンテナ５は、次のような課題がある。支持柱２０５はポール基部２１５を介して建造物の屋上のコンクリート基盤、鉄塔の頂上部その他の高所に取り付け固定される。このポール基部２１５を介して高所に固定されるアンテナ５を保守点検、交換する必要の生ずる場合がある。上述したように構成されているアンテナ５は、ダブルフランジ２０６から簡単には取り外すことができない構造となっている。このため、アンテナ５の保守点検、交換に際しては避雷導線２１０をリード棒２０８から取り外し、更にリード棒２０８をリード棒雄ネジ切り部２０９から切り離すことによりポール基部２１５から上部を建造物の屋上のコンクリート基盤、鉄塔の頂上部その他の高所から移動することとなる。また、アンテナ５の内部には、アンテナ整合回路のみしかなく、アンテナ切り換えなどを制御する制御回路は上述の制御回路収容ケースに収容されている。このため、最終的なアンテナ５の調整は、ポール基部２１５を介して建造物の屋上のコンクリート基盤、鉄塔の頂上部その他の高所に取り付け固定された状態で行わなければならない。
【０００８】
支持幹６１は、ダブルフランジ２０６に取り付け固定されている。このため、避雷針６への落雷電流は、支持幹６１を通してダブルフランジ２０６、支持柱２０５及びポール基部２１５に流れることとなる。このため、建造物、鉄塔など予定していないところへも落雷電流が流れ、予定外の災害をもたらすことがある。
【０００９】
【課題を解決するための手段】
請求項１：上部に避雷針６を具備した方向探知機用アンテナにおいて、
中心部に上下に貫通する避雷針挿通孔７５３０が形成されるコマ円筒部７５３１と、円筒部下部に形成されるコマフランジ部７５３２より成る絶縁コマ７５３を具備し、
コマ円筒部７５３１が挿通される中空部７５２０が形成される中筒円筒部７５２１と中筒円筒部の下側周縁に形成される中筒フランジ部７５２２より成るアンテナ中筒７５２を具備し、
コマ円筒部７５３１を中空部７５２０に嵌合した絶縁コマ７５３とアンテナ中筒７５２の共軸構造を構成し、
この共軸構造のアンテナ中筒７５２側にアンテナ装置Ａを取り付け、絶縁コマ７５３をそのフランジ部を介して支持柱２０５に固定し、アンテナ中筒７５２をそのフランジ部を介して支持柱２０５に螺合して、絶縁コマ７５３を支持柱２０５に残してアンテナ装置Ａを着脱自在とし、
絶縁コマ７５３の避雷針挿通孔７５３０に避雷針６を押し込み固定し、
避雷導体６４を絶縁コマ７５３とアンテナ中筒７５２の共軸構造および支持柱２０５内部を介して避雷針６から導出した方向探知機用アンテナを構成した。
【００１０】
そして、請求項２：アンテナ装置Ａは、アンテナケース７５を具備し、アンテナケース７５は、中心に開口部７５４を有し、上記共軸構造を開口部７５４に共軸にして、支持柱２０５に取付けた請求項１記載の方向探知機用アンテナを構成した。
また、請求項３：アンテナケース７５は、その内部にアンテナ制御回路を具備する請求項２記載の方向探知機用アンテナを構成した。
【００１１】
更に、請求項４：アンテナケース７５、その周側部に等角度間隔に複数の水平アーム２２を具備し、当該各水平アーム先端にアンテナエレメント５０を具備する請求項２記載の方向探知機用アンテナを構成した。
【００１２】
【発明の実施の形態】
この発明の実施の形態を図の実施例を参照して説明する。図１は組み立てられたアンテナを横から視たところを示す図である。アンテナ装置Ａは、支持柱２０５より着脱自在とされている。図２はアンテナケースおよび支持柱を説明する図である。図３は支持柱にアンテナケースおよ
び避雷針を取り付けるところを説明する図である。図４はアンテナ中筒の詳細を示す図である。図５は絶縁コマの詳細を説明する斜視図である。図６は避雷器の構成部品を説明する図である。図７はアンテナケースの収容取り付け部材を説明する図である。
【００１３】
図１ないし図３を参照して説明する。アンテナ装置Ａを支持する中空の支持柱２０５は、その下端部を支持柱下フランジ２０５１に嵌合し、取り付けネジ２０５３により支持柱下フランジ２０５１にネジ止めされる。支持柱上フランジ２０５２は支持柱２０５の上端部に嵌合され、取り付けネジ２０５４により支持柱２０５にネジ止めされる。水平アーム２２はアンテナケース７５の周側部に等角度間隔に固定されている。アンテナエレメント５０はこの自由端に取り付けられている。アンテナケース７５にはその底部に開口部７５４が形成されると共に、開口部７５４の周縁部に沿って等角度間隔にケース取り付け孔７５５が６個形成されている。アンテナケース７５はケースカバー７５１により閉塞されている。
【００１４】
ここで、主に図３ないし図５を参照して支持柱にアンテナケースおよび避雷針を取り付けるところを説明する。
７５３は絶縁コマである。この絶縁コマ７５３を図５を参照して説明するに、絶縁コマ７５３は絶縁材料により構成され、中心部に上下に貫通する避雷針挿通孔７５３０が形成されるコマ円筒部７５３１と、円筒部下部に形成されるコマフランジ部７５３２より成る。コマフランジ部７５３２には、コマ取り付け孔７５３３が周方向に等角度間隔に離隔して４個形成されている。コマ取り付け孔７５３３には後で説明されるコマ取り付けネジ７５３４が挿通される。
【００１５】
７５２はアンテナ中筒である。このアンテナ中筒７５２を図４を参照して説明するに、中筒７５２はアンテナケース７５とは別体に構成されている。このアンテナ中筒７５２は、先の絶縁コマ７５３が挿通される中空部７５２０が形成される中筒円筒部７５２１と円筒部の下側周縁に形成される中筒フランジ部７５２２より成る。この中筒フランジ部７５２２にはケース固定取り外しネジ孔７５２３が周方向に６個形成されている。そして、中筒円筒部７５２１の上端面にはカバー取り付けネジ孔７５２４が周方向に４個形成されている。このアンテナ中筒７５２は、アンテナケース７５の底部の開口部７５４周縁部にこの中筒取り付けネジ孔７５２５および図示されない取り付けネジにより取り付けられる。
【００１６】
６は避雷針である。この避雷針６を含む避雷器を構成する部材を図６を参照して説明する。図６（ａ）は避雷針を横から視た図である。避雷針６には下端部に避雷針雄ネジ切り部６０が形成されている。図６（ｂ）は避雷針固定部材を示す図である。避雷針固定部材６２は、一方の端部に避雷針固定部材雄ネジ切り部６２１が形成され、この一方の端部の端面には避雷導体固定雄ネジ切り部６２４が構成されている。他方の端部には固定部材フランジ部６２２が形成されると共に固定部材雌ネジ切り部６２３が形成されている。図６（ｃ）は避雷針固定部材取り付けナットを示す図であり、そして、図６（ｄ）は避雷導体を示す図である。避雷導体６４は長尺の金属材料より成る棒により構成され、一方の端部には避雷導体雌ネジ切り部６４１が形成されるよ共に、他方の端部は避雷導体接続端子部６４２を構成している。
【００１７】
上述した通り、支持柱上フランジ２０５２は支持柱２０５の上端部に嵌合されて、取り付けネジ２０５４によりこれにネジ止めされている。ここで、上フランジ２０５２に絶縁コマ７５３を載置した状態で、上フランジ２０５２に形成されるコマ取り付けネジ孔２０５２２に対して絶縁コマ７５３に形成されるコマ取り付け孔７５３３を整合せしめる。コマ取り付けネジ７５３４をコマ取り付け孔７５３３に上から挿通し、これをコマ取り付けネジ孔２０５２２に螺合することにより上フランジ２０５２に対して絶縁コマ７５３が取り付け固定される。避雷針６には下端部に避雷針雄ネジ切り部６０が形成され、避雷針固定部材６２の上端部に形成される固定部材雌ネジ切り部６２３に螺合される。避雷針固定部材６２は、絶縁コマ７５３に形成される中心孔７５３０に上から押し込まれ、固定部材フランジ部６２２が中心孔７５３０上端に係合した状態で、中心孔７５３０から突出した避雷針固定部材雄ネジ切り部６２１に避雷針固定部材取り付けナット６３を螺合することにより、絶縁コマ７５３に固定される。ここで、避雷針固定部材６２の先端に構成される避雷導体固定雄ネジ切り部６２４に避雷導体６４の雌ネジ切り部６４１を螺合することにより、避雷針固定部材６２に避雷導体６４を電気機械的に接続することができる。以上の通りにして、避雷器が構成された。
【００１８】
ここで、図７を参照してアンテナケースに収容取り付ける部材について説明する。図７（ａ）は内部を上から視たところを示す図であり、図７（ｂ）はＡ−Ａ矢視図であり、図７（ｃ）はＢ−Ｂ矢視図である。アンテナケース７５の周側部には水平アーム２２が等角度間隔に固定されている。アンテナエレメント５０はこの水平アーム２２の自由端にエレメント基部２２１を介して取り付けられる。アンテナ整合回路基板８１は基板ガイド８２に案内位置決めされ、基板ガイド取り付けネジ８３によりアンテナケース７５の底部に取り付けられている。８０はアンテナ制御回路基板を示す。このアンテナ制御回路基板８０は回路基板取り付けネジ８０１によりアンテナケース７５の底部に取り付けられている。アンテナエレメント５０とアンテナ制御回路基板８０とは、アンテナ整合回路基板を介して接続している。８４は電源ＩＣであり、放熱板８５を介してアンテナ中筒７５２のフランジ部７５２２に固定されている。そして、アンテナ中筒７５２は、そのフランジ部７５２２に形成される中筒取り付けネジ孔７５２５を介して、図示されない取り付けネジによりアンテナケース７５の底部の開口部７５４周縁部に取り付けられている。８６はアンテナ制御回路の出力を導出する外部コネクタである。以上の通りにして、アンテナエレメント５０を取り付け、アンテナ中筒７５２およびアンテナ制御回路基板８０をアンテナケース７５内部に収容したアンテナ装置Ａが構成された。
【００１９】
アンテナ装置Ａを先に構成した避雷器に組み合わせるには、絶縁コマ７５３のコマ円筒部７５３１にアンテナ中筒７５２の中空部７５２０を嵌合させる。ここで、アンテナ中筒７５２の６個のケース固定取り外しネジ孔７５２３と上フランジ貫通孔２０５２１とを整合せしめた状態で、ケース固定取り外しネジ７５２６を上フランジ貫通孔２０５２１に下から挿通して、ケース固定取り外しネジ孔７５２３に螺合することにより、アンテナケース７５の底部はアンテナ中筒７５２と上フランジ２０５２により強固に挟持される。
【００２０】
【発明の効果】
以上の通りであって、この発明によれば、アンテナに点検、保守の必要が生じた場合、外部コネクタを引き外すことと、ケース固定取り外しネジを緩めてアンテナ中筒のケース固定取り外しネジ孔から取り外すことを実施することのみによりアンテナケースと避雷器の機械的結合は解除される。この状態で、アンテナケースを上に持ち上げると、アンテナケースはアンテナ中筒が避雷器の絶縁コマのところからそのまま抜けて取り外すことができ、避雷針、導電避雷導体を含む避雷器および支持柱側からアンテナ側のみを極く簡単に別個に独立して取り外すことができる。
【００２１】
また、アンテナケース内にアンテナ制御回路を収容する構成を採用することにより、故障時および保守点検時においても、高所において作業することなく容易にアンテナユニットのみを下に降ろして点検、調整することができる。
さらに避雷針を絶縁コマにより支持柱から絶縁させたことにより、建造物、鉄塔など予定していないところへ落雷電流が流れ、予定外の災害をもたらす恐れは小さくなる。
【図面の簡単な説明】
【図１】組み立てられたアンテナを横から視たところを示す図。
【図２】アンテナケースおよび支持柱を説明する図。
【図３】支持柱にアンテナケースおよび避雷針を取り付けるところを説明する図。
【図４】アンテナ中筒の詳細を示す図。
【図５】絶縁コマの詳細を説明する斜視図。
【図６】避雷器の構成部品を説明する図。
【図７】アンテナケースの収容取り付け部材を説明する図。
【図８】従来例を説明する図。
【符号の説明】
２０５  支持柱
５０  アンテナエレメント
６  避雷針
７５  アンテナケース
７５２  アンテナ中筒
７５４  開口部
７５３  絶縁コマ
７５３０  避雷針挿通孔
７５３１  コマ円筒部
７５３２  コマフランジ部
７５２６  ケース固定取り外しネジ
【図１】
0003619094.tif 000002
【図２】
0003619094.tif 000003
【図３】
0003619094.tif 000004
【図４】
0003619094.tif 000005
【図５】
0003619094.tif 000006
【図６】
0003619094.tif 000007
【図７】
0003619094.tif 000008
【図８】
0003619094.tif 000009